【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
複数の装置に配給すべきエネルギに関する制約を考慮して、予め定められた期間にわたって前記複数の装置のクラスタにエネルギ流を分配するためのコンピュータベースの方法であって、
Ａ．各クラスタにおけるそれぞれの装置のフレキシビリティ情報を収集するとともに、各クラスタのそれぞれの装置の収集されたフレキシビリティ情報を各クラスタについての集約フレキシビリティ情報になるよう組合せることにより、クラスタについてのフレキシビリティ情報を集約するステップを含み、
それぞれの装置のフレキシビリティ情報は、それぞれの装置が既に利用可能なエネルギ、時間関数での予め定められた期間内に前記クラスタのそれぞれの装置によって必要とされる時間関数での蓄積エネルギの最小量および許可される蓄積エネルギの最大量、ならびに前記装置によって許可される電力摂取の最小量および最大量についての情報を含み、
各クラスタの集約フレキシビリティ情報は、各クラスタが既に利用可能なエネルギ、時間関数での予め定められた期間内に各クラスタによって必要とされる時間関数での蓄積エネルギの最小量および許可される時間関数での蓄積エネルギの最大量、ならびに前記装置によって許可される電力摂取の最小量および最大量を考慮した、時間関数での前記クラスタによって許可される電力摂取の最小量および最大量についての情報であり、
前記方法はさらに、
Ｂ．クラスタについての集約フレキシビリティ情報を考慮して、前記予め定められた期間にわたった時間関数でのクラスタに配給すべき蓄積エネルギを決定するステップと、
Ｃ．決定された時間関数での配給すべき蓄積エネルギに基づいて、時間関数でのクラスタに供給すべき電力をエネルギの流れから得ることにより、前記決定された蓄積エネルギをクラスタに供給し、クラスタにおける全装置について供給すべき電力の優先度を決定し、クラスタのそれぞれの装置のフレキシビリティ情報に基づく供給すべき電力の優先度に基づいて、供給電力をクラスタの装置に時間関数で分配するステップとを含む、方法。
【請求項２】
前記クラスタにおける全装置についての供給すべき電力の優先度の決定は、それぞれの
装置のフレキシビリティ情報に基づいている、請求項１に記載のエネルギ流を分配するための方法。
【請求項３】
それぞれの装置についての、それぞれの装置のフレキシビリティ情報に基づく供給すべき電力の優先度は、それぞれの装置によって許可される電力摂取の最大量に最小の優先度が対応し、それぞれの装置によって許可される電力摂取の最小量に最大の優先度が対応するように、優先度関数での電力として決定され、
電力と優先度との関係は、予め定められた期間において前記装置によって必要とされるエネルギの最小量を示しており、電力と優先度との関係は時間関数で変化する、請求項１または２に記載のエネルギ流を分配するための方法。
【請求項４】
それぞれの装置に供給すべき電力のそれぞれの優先度は、供給すべき電力の集約優先度になるよう組合され、
得られた供給すべき電力の集約優先度を用いて、エネルギの流れから得られた電力に対応する優先度が前記クラスタについて得られ、その後、得られた前記クラスタの優先度に基づいて、それぞれの装置の優先度関数での供給すべき電力のそれぞれの優先度を用いて、それぞれの装置について供給すべき電力が決定されるとともに、前記クラスタの装置に分配される、請求項３に記載のエネルギ流を分配するための方法。
【請求項５】
エネルギ流からの得られた電力を使用する優先度は、エネルギの流れから得られた優先度関数での電力から優先度関数での集約電力を減算し、さらに結果として得られた優先度関数での電力から実質的にゼロに最も近い電力を有する優先度を決定することによって決定される、請求項４に記載のエネルギ流を分配するための方法。
【請求項６】
複数の装置に配給すべきエネルギに関する制約を考慮して、第１の予め定められた期間にわたって複数の装置のクラスタにエネルギ流を分配するための請求項１〜５のいずれか１項に記載の方法であって、エネルギ流を分配するための請求項１に記載のステップＡ〜Ｃは、第２の予め定められた期間毎に繰返され、前記第２の期間は前記第１の予め定められた期間よりも短い、エネルギ流を分配するための方法。
【請求項７】
それぞれの装置についての供給すべき電力の優先度は、第３の予め定められた期間の後で決定されることを特徴とする、請求項６に記載のエネルギ流を分配するための方法。
【請求項８】
前記クラスタの装置のフレキシビリティ情報を前記クラスタについてのフレキシビリティ情報になるよう組合せることは、それぞれの装置によって必要とされる時間関数での蓄積エネルギの最小量を追加すること、それぞれの装置によって許可される時間関数での蓄積エネルギの最大量を追加すること、それぞれの装置の時間関数での電力の最小量を追加すること、およびそれぞれの装置の時間関数での電力の最大量を追加することを含む、請求項１〜７のいずれか１項に記載のエネルギ流を分配するための方法。
【請求項９】
前記ステップはコンピュータによって実行され、
フレキシビリティ情報は前記クラスタの少なくとも１つの装置に格納され、
ステップＡは、フレキシビリティ情報をコンピュータに送信するステップを含む、請求項１〜８のいずれか１項に記載のエネルギ流を分配するための方法。
【請求項１０】
前記クラスタの少なくとも１つの装置のフレキシビリティ情報は、少なくとも１つの装置の時間関数でのエネルギの使用を監視することによって得られる、請求項９に記載のエネルギ流を分配するための方法。
【請求項１１】
エネルギに関する前記制約は、エネルギの利用可能性を含む、請求項１〜１０のいずれか１項に記載のエネルギ流を分配するための方法。
【請求項１２】
前記予め定められた期間にわたった時間関数での配給すべきエネルギの決定は、線形計画法および確率的計画法、好ましくは動的計画法のうちのいずれか１つを用いて行なわれる、請求項１〜１１のいずれか１項に記載のエネルギ流を分配するための方法。
【請求項１３】
請求項１〜１２のいずれか１項に記載の方法を行なうためのソフトウェア構成要素を含む、コンピュータ読取可能なフォーマットのコンピュータプログラム。
【請求項１４】
複数の装置に配給すべきエネルギに関する制約を考慮して、予め定められた期間にわたってシステムの複数の装置のクラスタにエネルギ流を分配するためのシステムであって、
システムは、請求項１〜１２のいずれか１項に記載の方法のステップＡ、ＢおよびＣを行なうために設けられたアグリゲータ（集約器）を含む、システム。
【請求項１５】
複数の装置に配給すべきエネルギに関する制約を考慮して、予め定められた期間にわたってシステムの複数の装置のクラスタにエネルギ流を分配するための請求項１４に記載のシステムであって、請求項１〜１２のいずれか１項に記載の方法のステップＡ、ＢおよびＣを行なうために設けられたアグリゲータはコンピュータである、システム。
【手続補正２】
【補正対象書類名】明細書
【補正対象項目名】００６９
【補正方法】変更
【補正の内容】
【００６９】
この後、クラスタの優先度関数での得られた集約電力を用いて、エネルギの流れから得られた電力に対応する優先度がクラスタについて得られ、その後、得られたクラスタの優先度に基づいて、それぞれの装置の優先度関数での供給すべき電力のそれぞれの優先度を用いて、それぞれの装置について供給すべき電力の優先度が決定されるとともに、クラスタの装置に分配される（６）。これはアグリゲータによって集中的に行なわれてもよいが、優先度は図１に示すように装置に分配され（６）てもよく、各それぞれの装置は、優先度関数での電力として決定された電力の以前に得られた優先度を用いて、クラスタについて決定された優先度に対応する電力を決定し、各装置は、決定された電力をエネルギの流れから得る。
【手続補正３】
【補正対象書類名】図面
【補正対象項目名】図２
【補正方法】変更
【補正の内容】
【図２】
2014512052.tif 000001